(57)【要約】【課題】カメラを三脚に取り付けたときに、カメラに外力が加わってもカメラ内部の部品が破損する虞が少ないカメラを提供する。【解決手段】三脚に固定される三脚座７１と三脚座の座りを良くする座板７２とを一体化し、座板７２と補強板９とでカメラ本体の底面を覆う底カバー５を挟んだ。【選択図】図１
2008158143.tif 000002
【特許請求の範囲】
【請求項１】
カメラ本体に取付けられるカバー部と、
前記カメラ本体とは異なる部材に前記カメラ本体を取付可能な取付部材と、
前記カバー部に剛性を付与する剛性付与部材とを有し、
前記カバー部を挟むように前記取付部材と前記剛性付与部材とを
配置したことを特徴とするカメラ。
【請求項２】
前記取付部材が三脚座を有していることを特徴とする請求項１に記載のカメラ。
【請求項３】
前記取付部材は、前記カメラ本体とは異なる部材に取付可能な取付部と、前記取付部と前記カバー部との間に介在し、前記カバー部の剛性と同等以上の剛性を有する板状部とを有していることを特徴とする請求項１記載のカメラ。
【請求項４】
前記取付部と前記板状部とが別部品であり、前記取付部と前記板状部とを結合する取付部結合部材を有していることを特徴とする請求項３記載のカメラ。
【請求項５】
前記取付部と前記板状部とが一体に形成されていることを特徴とする請求項３記載のカメラ。
【請求項６】
前記取付部材は、前記カメラ本体とは異なる部材に取付可能な取付部と、前記カバー部の剛性と同等以上の剛性を有し、前記付与部材と結合可能な取付部材結合部とで構成され、前記取付部と前記取付部材結合部とが一体に形成されていることを特徴とする請求項１又は２記載のカメラ。
【請求項７】
前記取付部材と前記剛性付与部材とを結合する結合部材を有し、
前記取付部材と前記カバー部にそれぞれ前記結合部材を通す結合部材挿入穴が形成され、前記剛性付与部材に前記結合部材を結合する結合手段が形成されていることを特徴とする請求項１〜６のいずれか１項記載のカメラ。
【請求項８】
前記取付部材と前記剛性付与部材とを結合する結合部材を有し、
前記剛性付与部材と前記カバー部にそれぞれ前記結合部材を通す結合部材挿入穴が形成され、前記取付部材に前記結合部材を結合する結合手段が形成されていることを特徴とする請求項１〜６のいずれか１項記載のカメラ。
【請求項９】
前記剛性付与部材は、１つの板状部材で構成されていることを特徴とする請求項１〜８のいずれか１項記載のカメラ。
【請求項１０】
前記剛性付与部材は、複数の板状部材で構成されていることを特徴とする請求項１〜８のいずれか１項記載のカメラ。
【発明の詳細な説明】
【技術分野】
【０００１】
この発明はカメラに関し、特に三脚への取付構造に特徴を有するカメラに関する。
【背景技術】
【０００２】
従来、カメラ本体とギヤ押さえ板と外装カバーと三脚座とを備えるカメラが知られている（下記特許文献１参照）。
【０００３】
このカメラ本体の底面には凹部が形成されている。凹部内にはフィルム給送用のギヤ列が配置されている。
【０００４】
ギヤ押さえ板はカメラ本体との間にギヤ列を挟みこんで支持する。ギヤ押さえ板はカメラ本体との間に三脚座を挟みこむようにしてカメラ本体の底部にビス止めされている。
【０００５】
外装カバーはギヤ押さえ板を覆い、カメラ本体の底部に固定される。
【０００６】
三脚座の中央にはねじ穴が形成されている。
【０００７】
三脚の固定ねじをカメラの三脚座のねじ穴に螺合することによってカメラは三脚に固定される。
【特許文献１】特開２００２−６３８１号公報（段落００１３〜００２０、図１参照）
【発明の開示】
【発明が解決しようとする課題】
【０００８】
上述のカメラでは、三脚座はギヤ押さえ板とカメラ本体との間に挟まれ、ギヤ押さえ板及びカメラ本体にビス止めされている。このため、カメラを三脚に取り付けた状態で、カメラに外力が加わったとき、その外力がギヤ押さえ板を介してギヤ列等のカメラ内部の部品に伝わるので、カメラ内部の部品が破損する虞がある。
【０００９】
この発明はこのような事情に鑑みてなされたもので、その課題はカメラを三脚に取り付けたときに、カメラに外力が加わってもカメラ内部の部品が破損する虞が少ないカメラを提供することである。
【課題を解決するための手段】
【００１０】
前述の課題を解決するため請求項１の発明のカメラは、カメラ本体に取付けられるカバー部と、前記カメラ本体とは異なる部材に前記カメラ本体を取付可能な取付部材と、前記カバー部に剛性を付与する剛性付与部材とを有し、前記カバー部を挟むように前記取付部材と前記剛性付与部材とを配置したことを特徴とする。
【００１１】
請求項２の発明は、請求項１記載のカメラにおいて、前記取付部材が三脚座を有していることを特徴とする。
【００１２】
請求項３の発明は、請求項１記載のカメラにおいて、前記取付部材は、前記カメラ本体とは異なる部材に取付可能な取付部と、前記取付部と前記カバー部との間に介在し、前記カバー部の剛性と同等以上の剛性を有する板状部とを有していることを特徴とする。
【００１３】
請求項４の発明は、請求項３記載のカメラにおいて、前記取付部と前記板状部とが別部品であり、前記取付部と前記板状部とを結合する取付部結合部材を有していることを特徴とする。
【００１４】
請求項５の発明は、請求項３記載のカメラにおいて、前記取付部と前記板状部とが一体に形成されていることを特徴とする。
【００１５】
請求項６の発明は、請求項１又は２記載のカメラにおいて、前記取付部材は、前記カメラ本体とは異なる部材に取付可能な取付部と、前記カバー部の剛性と同等以上の剛性を有し、前記付与部材と結合可能な取付部材結合部とで構成され、前記取付部と前記取付部材結合部とが一体に形成されていることを特徴とする。
【００１６】
請求項７の発明は、請求項１〜６のいずれか１項記載のカメラにおいて、前記取付部材と前記剛性付与部材とを結合する結合部材を有し、前記取付部材と前記カバー部にそれぞれ前記結合部材を通す結合部材挿入穴が形成され、前記剛性付与部材に前記結合部材を結合する結合手段が形成されていることを特徴とする。
【００１７】
請求項８の発明は、請求項１〜６のいずれか１項記載のカメラにおいて、前記取付部材と前記剛性付与部材とを結合する結合部材を有し、前記剛性付与部材と前記カバー部にそれぞれ前記結合部材を通す結合部材挿入穴が形成され、前記取付部材に前記結合部材を結合する結合手段が形成されていることを特徴とする。
【００１８】
請求項９の発明は、請求項１〜８のいずれか１項記載のカメラにおいて、前記剛性付与部材は、１つの板状部材で構成されていることを特徴とする。
【００１９】
請求項１０の発明は、請求項１〜８のいずれか１項記載のカメラにおいて、前記剛性付与部材は、複数の板状部材で構成されていることを特徴とする。
【発明の効果】
【００２０】
この発明によれば、カメラを三脚に取り付けたときに、カメラに外力が加わってもカメラ内部の部品が破損する虞が少ない。
【発明を実施するための最良の形態】
【００２１】
以下、この発明の実施の形態を図面に基づいて説明する。
【００２２】
図１はこの発明の第１実施形態に係るカメラを示し、同図（ａ）はカメラの分解斜視図、同図（ｂ）は同図（ａ）に示すカメラ底部の分解斜視図、図２は図１に示すカメラ底部の断面図である。
【００２３】
図１、２に示すように、このカメラはカメラ本体３と底カバー（カバー部）５と取付部材７と補強板（剛性付与部材）９とを有する。
【００２４】
カメラ本体３には、交換レンズ１１が着脱可能に装着されている。
【００２５】
底カバー５はプラスチック製で、ほぼトレー状であり、カメラ本体３の底面を覆う。底カバー５のほぼ中央部には孔５ａが形成され、その周囲には４つのねじ挿入孔５ｂが形成されている。
【００２６】
取付部材７は金属製であり、三脚座（取付部）７１と座板（板状部）７２とで構成されている。
【００２７】
三脚座７１はほぼ円板状であり、その中央部にはボス部７１ａが形成されている。ボス部７１ａの下面には雌ねじ７１ｂが形成されている。雌ねじ７１ｂには図示しない三脚（カメラ本体３とは異なる部材）に設けられたカメラ固定用ねじが螺合する。三脚座７１にはボス部７１ａを包囲するように３つの雌ねじ７１ｃが等間隔に形成されている。
【００２８】
座板７２の中央部には孔７２ａが形成されている。孔７２ａは底カバー５の孔５ａに対向配置される。座板７２の角部には雌ねじ７２ｂが形成されている。雌ねじ７２ｂは底カバー５のねじ挿入孔５ｂに対向配置される。孔７２ａの周囲には３つのねじ挿入孔７２ｃが等間隔に形成されている。ねじ挿入孔７２ｃはテーパ状に形成されている。座板７２の剛性は底カバー５の剛性と同等以上である。
【００２９】
ねじ１３が座板７２のねじ挿入孔７２ｃに挿入され、三脚座７１の雌ねじ７１ｃに螺合されることによって三脚座７１と座板７２とが一体化されている。ねじ１３の頭部はねじ挿入孔７２ｃ内に収容されている。
【００３０】
補強板９は金属製である。補強板９の中央部には孔９ａが形成されている。孔９ａは底カバー５の孔５ａに対向配置される。孔７２ａ、孔５ａ及び孔９ａには三脚座７１のボス部７１ａが挿入される。補強板９の角部にはねじ挿入孔９ｂが形成されている。ねじ挿入孔９ｂは底カバー５のねじ挿入孔５ｂに対向配置される。補強板９の剛性は底カバー５の剛性と同等以上である。
【００３１】
ねじ１４が補強板９のねじ挿入孔９ｂ及び底カバー５のねじ挿入孔５ｂに挿入され、座板７２の雌ねじ７２ｂに螺合されることによって、座板７２と補強板９とは底カバー５を挟んだ状態で結合される。
【００３２】
次に、このカメラのカメラ本体３以外の部分の組立てについて説明する。
【００３３】
まず、三脚座７１のボス部７１ａを座板７２の孔７２ａに挿入する。孔７２ａに挿入されたボス部７１ａの先端部は孔７２ａから突出する。
【００３４】
次に、ねじ１３を座板７２のねじ挿入孔７２ｃに挿入し、更に三脚座７１の雌ねじ７１ｃに螺合する。その結果、三脚座７１と座板７２とが一体化する。
【００３５】
その後、孔７２ａから突出した三脚座７１のボス部７１ａを底カバー５の孔５ａに挿入するとともに、座板７２を底カバー５上に載せる。座板７２を底カバー５上に載せたとき、三脚座７１のボス部７１ａの先端部は孔５ａから突出する。
【００３６】
次に、孔５ａから突出した三脚座７１のボス部７１ａを補強板９の孔９ａに通すとともに、補強板９を底カバー５の底面に当てる。この際、補強板９ｂのねじ挿入孔９ｂと底カバー５のねじ挿入孔５ｂとを一致させる。
【００３７】
その後、ねじ１４を補強板９のねじ挿入孔９ｂ及び底カバー５のねじ挿入孔５ｂに挿入し、更に座板７２の雌ねじ７２ｂに螺合する。その結果、底カバー５は座板７２と補強板９とで挟まれた状態になり、しかも座板７２及び補強板９の剛性は底カバー５と同等以上であるので、底カバー５の剛性は補強される。
【００３８】
最後に、三脚座７１が取り付けられた底カバー５をカメラ本体３にねじ（図示せず）等によって固定することにより、カメラの底部の組立が完了する。
【００３９】
以上のように、三脚座７１は底カバー５に固定されているので、カメラを三脚に固定した状態でカメラに外力が加わっても、カメラ本体３内の部品に外力が加わることを防止できる。しかも、底カバー５が座板７２と補強板９とで挟まれているので、三脚座７１に伝わった外力は座板７２と補強板９とに分散されて底カバー５に伝わる。その結果、底カバー５が外力によって破損し難くする。
【００４０】
図３は図１に示す第１実施形態に係るカメラの変形例を示す断面図である。
【００４１】
図１に示す実施形態では、ねじ１４は補強板９のねじ挿入孔９ｂ及び底カバー５のねじ挿入孔５ｂに挿入され、座板７２の雌ねじ７２      ｂに螺合しているが、図３の変形例では、ねじ１４の挿入方向が第１実施形態と反対になっている。
【００４２】
すなわち、この変形例では、座板７２にねじ挿入孔１７２ｂが形成され、補強板９に雌ねじ１０９ｂが形成されている。
【００４３】
この変形例は、第１実施形態と同様の作用効果を奏する。
【００４４】
第１実施形態の別の変形例（図示せず）としては、三脚座７１と座板７２とを一体にしたものが考えられる。
【００４５】
この変形例は、第１実施形態と同様の作用効果を奏するとともに、第１実施形態よりも部品点数が少ないので、カメラの組立作業が容易になる。
【００４６】
図４はこの発明の第２実施形態に係るカメラの底部の分解斜視図、図５は図４に示すカメラ底部の断面図である。
【００４７】
上述の第１実施形態と共通する部分については同一符号を付してその説明を省略する。
【００４８】
第１実施形態の補強板９は１つの矩形の金属板であったが、図４、５に示すように、第２実施形態の補強板２０９は４つの金属円板で構成され、補強板２０９の中央部にはねじ挿入孔２０９ｂが形成されている。
【００４９】
三脚に取り付けたカメラに外力が加わった場合、その外力はねじ１４の周辺に強く作用する。すなわち、第２実施形態では、底カバー５の外力が強く加わる部分だけを補強板２０９で補強してある。
【００５０】
第２実施形態によれば、第１実施形態と同様の作用効果を奏するとともに、カメラをより軽量化することができる。
【００５１】
図６は図４に示す第２実施形態に係るカメラの変形例を示す断面図である。
【００５２】
図４に示す実施形態では、ねじ１４は補強板２０９のねじ挿入孔２０９ｂ及び底カバー５のねじ挿入孔５ｂに挿入され、座板７２の雌ねじ７２ｂに螺合されるが、この変形例では、ねじ１４の挿入方向が第２実施形態と反対になっている。
【００５３】
すなわち、この変形例では、座板７２にねじ挿入孔２７２ｂが形成され、補強板２０９に雌ねじ２２９ｂが形成されている。
【００５４】
この変形例は、第２実施形態と同様の作用効果を奏する。
【００５５】
図７はこの発明の第３実施形態に係るカメラの底部の分解斜視図、図８は図７に示すカメラ底部の断面図である。
【００５６】
上述の第１実施形態と共通する部分については同一符号を付してその説明を省略する。
【００５７】
第１実施形態では、取付部材７は三脚座７１と座板７２とで構成されているが、第３実施形態では、取付部材は三脚座３７１だけで構成されている。
【００５８】
底カバー３０５の孔５ａの周辺にはねじ挿入孔３０５ｃが形成されている。ねじ挿入孔３０５ｃは三脚座３７１の雌ねじ７１ｃに対向配置される。
【００５９】
補強板３０９は金属製の環状板であり、その外径は三脚座３７１の外径にほぼ等しい。補強板３０９には３つのねじ挿入孔３０９ｂが形成されている。ねじ挿入孔３０９ｂは三脚座３７１の雌ねじ７１ｃに対向配置される。
【００６０】
ねじ１５は補強板３０９のねじ挿入孔３０９ｂ及び底カバー３０５のねじ挿入孔３０５ｃに挿入され、三脚座３７１の雌ねじ７１ｃに螺合される。その結果、底カバー３０５は三脚座３７１と補強板３０９との間に挟まれる。
【００６１】
三脚に取り付けたカメラに外力が加わった場合、その外力は三脚座３７１の周辺に最も強く作用する。すなわち、第３実施形態では、必要最小限、底カバー３０５の外力が最も強く加わる部分だけを環状の補強板３０９で補強してある。
【００６２】
第３実施形態によれば、第１実施形態と同様の作用効果を奏するとともに、カメラを第２実施形態よりも軽量化することができる。
【００６３】
図９は図７に示す第３実施形態に係るカメラの変形例を示す断面図である。
【００６４】
図７に示す実施形態では、ねじ１５は補強板３０９のねじ挿入孔３０９ｂ及び底カバー３０５のねじ挿入孔３０５ｃに挿入され、三脚座３７１の雌ねじ７１ｃに螺合しているが、図９の変形例では、ねじ１５の挿入方向が第３実施形態と反対になっている。
【００６５】
すなわち、この変形例では、三脚座３７１にねじ挿入孔３７１ｃが形成され、補強板３０９に雌ねじ３２９ｂが形成されている。
【００６６】
この変形例は、第３実施形態と同様の作用効果を奏する。
【００６７】
なお、上述の実施形態では、取付部材７は金属製であるが、取付部材７の材質は金属に限られない。
【００６８】
また、上述の実施形態では、底カバー５，３０５はプラスチック製であるが、底カバー５，３０５の材質はプラスチックに限られない。
【００６９】
なお、上述の実施形態では、補強板９，２０９，３０９の材質は金属であるが、補強板９，２０９，３０９の材質は金属に限られない。
【図面の簡単な説明】
【００７０】
【図１】図１はこの発明の第１実施形態に係るカメラを示し、同図（ａ）はカメラの分解斜視図、同図（ｂ）は同図（ａ）に示すカメラ底部の分解斜視図である。
【図２】図２は図１に示すカメラ底部の断面図である。
【図３】図３は図１に示す第１実施形態に係るカメラの変形例を示す断面図である。
【図４】図４はこの発明の第２実施形態に係るカメラの底部の分解斜視図である。
【図５】図５は図４に示すカメラ底部の断面図である。
【図６】図６は図４に示す第２実施形態に係るカメラの変形例を示す断面図である。
【図７】図７はこの発明の第３実施形態に係るカメラの底部の分解斜視図である。
【図８】図８は図７に示すカメラ底部の断面図である。
【図９】図９は図７に示す第３実施形態に係るカメラの変形例を示す断面図である。
【符号の説明】
【００７１】
３：カメラ本体、５，３０５：底カバー（カバー部）、５ｂ：ねじ挿入孔（結合部材挿入穴）、７：取付部材、７１：三脚座（取付部）、７１ｃ：雌ねじ（取付部材結合部）、７２，１７２：座板（板状部）、７２ｂ：雌ねじ（結合手段）、１７２ｂ，２７２ｂ：ねじ挿入孔（結合部材挿入穴）、９，２０９，３０９：補強板（剛性付与部材）、９ｂ、２０９ｂ：ねじ挿入孔（結合部材挿入穴）、１０９ｂ：雌ねじ（結合手段）、１４：ねじ（結合部材）。
【図１】
2008158143.tif 000003
【図２】
2008158143.tif 000004
【図３】
2008158143.tif 000005
【図４】
2008158143.tif 000006
【図５】
2008158143.tif 000007
【図６】
2008158143.tif 000008
【図７】
2008158143.tif 000009
【図８】
2008158143.tif 000010
【図９】
2008158143.tif 000011